(57)【要約】【課題】水平方向に関して小型化しつつ、熱交換器からのドレン水の電装品箱内への流入を妨げる。【解決手段】室内熱交換器の下端部近傍のドレンパンより下方において、主吸込口から室内熱交換器に至る流路を形成するケーシング１０の壁面に接触するように電装品箱を設ける。電装品箱２６ａの底面とケーシング１０の壁面との間に隙間が形成されるように、ケーシング１０の壁面において電装品箱の底面と対向する部分に溝１３ａを形成する。【選択図】図７
2012102889.tif 000002
【特許請求の範囲】
【請求項１】
吸込口を有すると共に熱交換器を収容したケーシングと、
前記ケーシング内において前記吸込口から前記熱交換器に至る流路に設けられた電装品箱とを備え、
前記電装品箱が、前記熱交換器の下端部近傍のドレンパンより下方において前記流路を形成する壁面に接触して設けられており、
前記電装品箱の底面と前記壁面との間には、隙間が形成されていることを特徴とする床置き室内機。
【請求項２】
前記吸込口が、前記ケーシングの下端部の前方に設けられ、
前記壁面が、前記吸込口から背面に近付くにつれて上方に傾斜する傾斜部分を含んでおり、
前記電装品箱は、前記傾斜部分に接触して設けられていることを特徴とする請求項１に記載の床置き室内機。
【請求項３】
前記壁面において前記電装品箱の底面に対向した部分には、前記壁面の傾斜方向に沿って延在する溝が形成されていることを特徴とする請求項２に記載の床置き室内機。
【請求項４】
前記溝が、互いに離れた位置に複数形成されている特徴とする請求項３に記載の床置き室内機。
【請求項５】
前記壁面が、前記電装品箱の底面と対向する部分の上方に形成され、且つ、ドレン水が前記溝に向かって流れるように傾斜した傾斜面を有していることを特徴とする請求項３または４に記載の床置き室内機。
【請求項６】
前記壁面が、前記電装品箱を嵌合するための嵌合凹部を有しており、
前記嵌合凹部の上端に設けられた段部には、前記電装品箱の底面と前記壁面との隙間に連通する連通溝が形成されていることを特徴とする請求項１〜５のいずれか１項に記載の床置き室内機。
【請求項７】
前記嵌合凹部の上端に設けられた段部と、前記嵌合凹部に嵌合された前記電装品箱の側面との間には、隙間が形成されていることを特徴とする請求項６に記載の床置き室内機。
【請求項８】
前記嵌合凹部の上端に設けられた段部には、前記嵌合凹部に嵌合された前記電装品箱の側面に向かって突出する突出部が設けられていることを特徴とする請求項７に記載の床置き室内機。
【請求項９】
前記電装品箱が、複数の部材で構成されており、
前記複数の部材同士の合わせ部が、前記ドレンパンの底面と対向しないように設けられていることを特徴とする請求項１〜８のいずれか１項に記載の床置き室内機。
【発明の詳細な説明】
【技術分野】
【０００１】
本発明は、電装品箱を備えた床置き室内機に関するものである。
【背景技術】
【０００２】
空気調和機の室内機としては、吸込口を有すると共に熱交換器を収容したケーシングを備えているものが知られている。吸込口から吸い込まれた室内空気は、熱交換器に供給され、熱交換器内を流れる冷媒との間で熱交換が行われる。このようにして加熱または冷却された空気は、室内へと返流される。一般的に、上述のような室内機においては、電装品箱は熱交換器の側方に設けられる（例えば、特許文献１参照）。これにより、熱交換器からのドレン水が、電装品箱内に流入するのを防ぐことができる。
【先行技術文献】
【特許文献】
【０００３】
【特許文献１】特開２００８−２５６２７６号公報
【発明の概要】
【発明が解決しようとする課題】
【０００４】
しかしながら、上述の室内機のように電装品箱を熱交換器の側方に設け、電装品箱と熱交換器とを水平方向に並べる場合には、室内機が水平方向に関して大型化する。そこで、室内機を水平方向に関して小型化するために、電装品箱を熱交換器の下端部近傍に配置されたドレンパンの下方に配置することが考えられる。このような構成の室内機では、熱交換器からのドレン水が電装品箱内に流れ込む虞がある。
【０００５】
そこで、本発明は、上記のような課題を解決するためになされたものであり、水平方向に関して小型化しつつ、熱交換器からのドレン水の電装品箱内への流入を妨げることができる床置き室内機を提供することを目的とする。
【課題を解決するための手段】
【０００６】
第１の発明に係る床置き室内機は、吸込口を有すると共に熱交換器を収容したケーシングと、前記ケーシング内において前記吸込口から前記熱交換器に至る流路に設けられた電装品箱とを備え、前記電装品箱が、前記熱交換器の下端部近傍のドレンパンより下方において前記流路を形成する壁面に接触して設けられており、前記電装品箱の底面と前記壁面との間には、隙間が形成されている。
【０００７】
この床置き室内機では、熱交換器の下端部近傍のドレンパンより下方に電装品箱を設けることで、熱交換器の側方に電装品箱を設ける場合に比べて、水平方向に関して小型化できる。また、熱交換器からのドレン水は、電装品箱の底面と壁面との間の隙間に流れ込む。したがって、電装品箱をドレンパンの下方に設けた場合でも、熱交換器からのドレン水の電装品箱内への流入を妨げることができる。
【０００８】
第２の発明に係る床置き室内機では、第１の発明に係る床置き室内機において、前記吸込口が、前記ケーシングの下端部の前方に設けられ、前記壁面が、前記吸込口から背面に近付くにつれて上方に傾斜する傾斜部分を含んでおり、前記電装品箱は、前記傾斜部分に接触して設けられている。
【０００９】
この床置き室内機では、電装品箱の底面と壁面との間の隙間に流れ込んだドレン水を、下方に向けて流すことができる。したがって、電装品箱の底面と壁面との間にドレン水が溜まるのを抑制できる。
【００１０】
第３の発明に係る床置き室内機では、第２の発明に係る床置き室内機において、前記壁面において前記電装品箱の底面に対向した部分には、前記壁面の傾斜方向に沿って延在する溝が形成されている。
【００１１】
この床置き室内機では、溝が形成されている部分以外では、電装品箱の底面と壁面とが接触しているので、電装品箱の底面と壁面との間に埃等が溜まるのを抑制できる。また、溝に流れ込んだドレン水を、電装品箱の底面と壁面との間から排出できる。
【００１２】
第４の発明に係る床置き室内機では、第３の発明に係る床置き室内機において、前記溝が、互いに離れた位置に複数形成されている。
【００１３】
この床置き室内機では、複数の溝により、熱交換器からのドレン水を電装品箱の底面と壁面との間から迅速且つ確実に排出し、ドレン水の電装品箱内への流入を確実に妨げることができる。
【００１４】
第５の発明に係る床置き室内機では、第３または第４の発明に係る床置き室内機において、前記壁面が、前記電装品箱の底面と対向する部分の上方に形成され、且つ、ドレン水が前記溝に向かって流れるように傾斜した傾斜面を有している。
【００１５】
この床置き室内機では、傾斜面により、ドレン水を溝に集めることができる。したがって、ドレン水の電装品箱内への流入をより確実に妨げることができる。
【００１６】
第６の発明に係る床置き室内機では、第１〜第５のいずれかの発明に係る床置き室内機において、前記壁面が、前記電装品箱を嵌合するための嵌合凹部を有しており、前記嵌合凹部の上端に設けられた段部には、前記電装品箱の底面と前記壁面との隙間に連通する連通溝が形成されている。
【００１７】
この床置き室内機では、連通溝を介して、段部に滴下したドレン水を電装品箱の底面と壁面との間の隙間に送ることができる。
【００１８】
第７の発明に係る床置き室内機では、第６の発明に係る床置き室内機において、前記嵌合凹部の上端に設けられた段部と、前記嵌合凹部に嵌合された前記電装品箱の側面との間には、隙間が形成されている。
【００１９】
この床置き室内機では、段部の表面を伝って電装品箱の側面にドレン水が付着するのを避けることができる。
【００２０】
第８の発明に係る床置き室内機では、第７の発明に係る床置き室内機において、前記嵌合凹部の上端に設けられた段部には、前記嵌合凹部に嵌合された前記電装品箱の側面に向かって突出する突出部が設けられている。
【００２１】
この床置き室内機では、突出部によって、段部と電装品箱の側面との間の隙間を確実に形成できる。
【００２２】
第９の発明に係る床置き室内機では、第１〜第８のいずれかの発明に係る床置き室内機において、前記電装品箱が、複数の部材で構成されており、前記複数の部材同士の合わせ部が、前記ドレンパンの底面と対向しないように設けられている。
【００２３】
この床置き室内機では、ドレンパンから滴下したドレン水が、電装品箱の合わせ部から電装品箱の内部に浸入するのを防ぐことができる。
【発明の効果】
【００２４】
以上の説明に述べたように、本発明によれば、以下の効果が得られる。
【００２５】
第１の発明では、熱交換器の下端部近傍のドレンパンより下方に電装品箱を設けることで、熱交換器の側方に電装品箱を設ける場合に比べて、水平方向に関して小型化できる。また、熱交換器からのドレン水は、電装品箱の底面と壁面との間の隙間に流れ込む。したがって、電装品箱をドレンパンの下方に設けた場合でも、熱交換器からのドレン水の電装品箱内への流入を妨げることができる。
【００２６】
第２の発明では、電装品箱の底面と壁面との間の隙間に流れ込んだドレン水を、下方に向けて流すことができる。したがって、電装品箱の底面と壁面との間にドレン水が溜まるのを抑制できる。
【００２７】
第３の発明では、溝が形成されている部分以外では、電装品箱の底面と壁面とが接触しているので、電装品箱の底面と壁面との間に埃等が溜まるのを抑制できる。また、溝に流れ込んだドレン水を、電装品箱の底面と壁面との間から排出できる。
【００２８】
第４の発明では、複数の溝により、熱交換器からのドレン水を電装品箱の底面と壁面との間から迅速且つ確実に排出し、ドレン水の電装品箱内への流入を確実に妨げることができる。
【００２９】
第５の発明では、傾斜面により、ドレン水を溝に集めることができる。したがって、ドレン水の電装品箱内への流入をより確実に妨げることができる。
【００３０】
第６の発明では、連通溝を介して、段部に滴下したドレン水を電装品箱の底面と壁面との間の隙間に送ることができる。
【００３１】
第７の発明では、段部の表面を伝って電装品箱の側面にドレン水が付着するのを避けることができる。
【００３２】
第８の発明では、突出部によって、段部と電装品箱の側面との間の隙間を確実に形成できる。
【００３３】
第９の発明では、ドレンパンから滴下したドレン水が、電装品箱の合わせ部から電装品箱の内部に浸入するのを防ぐことができる。
【図面の簡単な説明】
【００３４】
【図１】本発明の実施形態に係る床置き室内機を備えた空気調和機の回路図である。
【図２】図１に示す床置き室内機の斜視図である。
【図３】図１に示す床置き室内機の正面図である。
【図４】図３に示す床置き室内機のIV-IV線に沿う断面図である。
【図５】図３に示す床置き室内機の前面グリル及び開閉パネルを外した状態を示す図である。
【図６】図４の二点鎖線で囲まれた部分の拡大図である。
【図７】図２に示す床置き室内機の本体フレームの斜視図である。
【図８】図７に示す本体フレームの部分拡大図である。
【図９】本発明の実施形態の変形例に係る床置き室内機における嵌合凹部の拡大図である。
【発明を実施するための形態】
【００３５】
以下、本発明の実施形態に係る空気調和機１００の床置き室内機（以下、単に「室内機」と称する）１について説明する。
図１に示すように、本実施形態の室内機１は、冷媒回路６０を構成する配管により室外機５と接続されており、室外機５と共に空気調和機１００を構成するものである。
【００３６】
＜空気調和機１００の概略構成＞
図１に示すように、本実施形態の室内機１は、室内熱交換器２２と、室内熱交換器２２の近傍に配置されたクロスフローファン２１と、輻射パネル３０と、室内電動弁１７と、室内の気温を検出するための室内温度センサ４６とを備えている。また、室外機５は、圧縮機５０と、四路切換弁５１と、室外熱交換器５２と、室外熱交換器５２の近傍に配置された室外ファン５３と、室外電動弁５４とを備えている。
【００３７】
冷媒回路６０は、室内熱交換器２２、圧縮機５０、四路切換弁５１、室外熱交換器５２及び室外電動弁５４が介設された環状の主流路６１を備えている。室外熱交換器５２には、室外熱交温度センサ５７が付設されている。主流路６１を構成する室内機１内の配管における室内熱交換器２２の両側には、分岐部６０ａ、６０ｂがそれぞれ設けられている。そして、分岐部６０ａ、６０ｂには、バイパス配管６２の両端が接続されている。すなわち、室内熱交換器２２の両側の配管が、バイパス配管６２によって接続されている。このバイパス配管６２には、輻射パネル３０と室内電動弁１７とが設けられている。バイパス配管６２における輻射パネル３０の両側には、パネル入温度センサ２７とパネル出温度センサ２８とが付設されている。また、主流路６１における圧縮機５０の吸入側と四路切換弁５１との間にはアキュムレータ５５が介設されており、圧縮機５０の吐出側と四路切換弁５１との間には、吐出温度センサ５６が付設されている。
【００３８】
室内熱交換器２２は、冷媒回路６０の一部を構成する配管を有しており、室内熱交温度センサ２９が付設されている。室内熱交換器２２は、クロスフローファン２１の風上側に配置されている。室内熱交換器２２内を流れる冷媒との熱交換により加熱または冷却された空気が、クロスフローファン２１によって温風または冷風として室内に吹き出されることで、温風暖房または冷房が行われる。
【００３９】
輻射パネル３０は、後で詳述するように、室内機１の表面の一部を構成しており、冷媒回路６０の一部を構成するパネル配管３３（図４参照）を有している。このパネル配管３３を流れる冷媒の熱が、室内に輻射されることで、輻射暖房が行われる。室内電動弁１７は、輻射パネル３０に供給される冷媒の流量を調整するために設けられている。
【００４０】
本実施形態の空気調和機１００において実施される運転モードとしては、冷房モード、温風暖房モード及び輻射暖房モードがある。冷房モードは、輻射パネル３０に冷媒を流さないで室内熱交換器２２に冷媒を流して冷房を行うモードであって、温風暖房モードは、輻射パネル３０に冷媒を流さないで室内熱交換器２２に冷媒を流して温風暖房を行うモードである。輻射暖房モードは、室内熱交換器２２に冷媒を流して温風暖房を行いつつ、輻射パネル３０に冷媒を流して輻射暖房を行うモードである。
【００４１】
温風暖房モードにおいては、室内電動弁１７が閉弁されると共に、四路切換弁５１が図１中実線で示す状態に切り換えられる。そのため、図１中実線の矢印で示すように、圧縮機５０から吐出された高温高圧冷媒は、四路切換弁５１を通って、室内熱交換器２２に流入する。そして、室内熱交換器２２において凝縮した冷媒は、室外電動弁５４で減圧された後、室外熱交換器５２に流入する。そして、室外熱交換器５２において蒸発した冷媒は、四路切換弁５１及びアキュムレータ５５を介して、圧縮機５０に流入する。
【００４２】
輻射暖房モードにおいては、室内電動弁１７が開弁されると共に、四路切換弁５１が図１中実線で示す状態に切り換えられる。そのため、図１中破線の矢印で示すように、圧縮機５０から吐出された高温高圧冷媒は、四路切換弁５１を通って、室内熱交換器２２と輻射パネル３０とに流入する。そして、室内熱交換器２２と輻射パネル３０において凝縮した冷媒は、室外電動弁５４で減圧された後、室外熱交換器５２に流入する。そして、室外熱交換器５２において蒸発した冷媒は、四路切換弁５１及びアキュムレータ５５を介して、圧縮機５０に流入する。
【００４３】
＜室内機１の構成＞
次に、室内機１の構成について説明する。
図２に示すように、本実施形態の室内機１は、全体として直方体形状を有しており、室内の床面近傍に据え付けるものである。本実施形態においては、室内機１は、床面から１０ｃｍ程度浮かした状態で、壁面に取り付けられている。なお、以下の説明において、室内機１が取り付けられる壁から突出する方向を「前方」と称し、その反対の方向を「後方」と称する。また、図２に示す左右方向を単に「左右方向」と称し、上下方向を単に「上下方向」と称する。
【００４４】
図４に示すように、室内機１は、ケーシング１０と、ケーシング１０内に収容されたクロスフローファン２１、室内熱交換器２２、吹出口ユニット２５及び電装品ユニット２６などの内部機器と、前面グリル１５とを主に備えている。後で詳述するように、ケーシング１０は、その下端部の前方に形成された主吸込口１０ａと、その前壁に形成された補助吸込口１０ｂ、１０ｃとを有している。さらに、ケーシング１０の上端部には、吹出口１０ｄが形成されている。ケーシング１０内には、主吸込口１０ａ及び補助吸込口１０ｂから吹出口１０ｄに至る流路が形成されている。室内機１においては、クロスフローファン２１の駆動により、主吸込口１０ａから床面近傍にある空気を吸い込みつつ、補助吸込口１０ｂ、１０ｃからも空気を吸い込む。そして、室内熱交換器２２において、吸い込んだ空気に対して加熱または冷却などを行い調和し、調和後の空気を吹出口１０ｄから吹き出して室内へと返流させる。
【００４５】
ケーシング１０は、本体フレーム１１、吹出口カバー４１、輻射パネル３０、及び開閉パネル４２で構成されている。なお、後述するように、吹出口カバー４１は前面パネル部４１ａを有しており、輻射パネル３０は前面パネル部３１を有している。吹出口カバー４１の前面パネル部４１ａ、輻射パネル３０の前面パネル部３１及び開閉パネル４２は、ケーシング１０の前面において面一となるように配置され、前面パネル４を構成する。図２に示すように、前面パネル４の右上端部、すなわち吹出口カバー４１の前面パネル部４１ａの右端部には、電源ボタン１８と、運転状況を示す発光表示部１９とが設けられている。
【００４６】
本体フレーム１１は、壁面に取り付けられるものであり、上述の各種内部機器を支持している。前面グリル１５、吹出口カバー４１、輻射パネル３０及び開閉パネル４２は、内部機器を支持している状態の本体フレーム１１の前面に取り付けられている。吹出口カバー４１は、本体フレーム１１の上端部に取り付けられており、その上壁に左右方向に長い矩形状の開口である吹出口１０ｄが形成されている。輻射パネル３０は吹出口カバー４１の下方に、開閉パネル４２は輻射パネル３０の下方にそれぞれ取り付けられている。本体フレーム１１の下前端と開閉パネル４２の下端との間は、左右方向に長い開口である主吸込口１０ａとなっている。
【００４７】
（内部機器）
ここで、ケーシング１０内に収容される各内部機器について説明する。
クロスフローファン２１は、ケーシング１０の高さ方向中央部分のやや上方において、その軸方向が左右方向に沿うように配置されている。クロスフローファン２１は、下前方から空気を吸い込んで、上後方に吹き出すようになっている。
【００４８】
室内熱交換器２２は、前面パネル４と略平行に配置されており、前面パネル４の背面と対向する前面熱交換器２２ａと、前面熱交換器２２ａの下端部近傍から背面に近付くにつれて上方に傾斜する背面熱交換器２２ｂとで構成されている。前面熱交換器２２ａは、クロスフローファン２１の前方に配置されており、その上半分がクロスフローファン２１と対向している。図４に示すように、前面熱交換器２２ａの上端は、クロスフローファン２１の上端よりも上方に位置している。背面熱交換器２２ｂは、クロスフローファン２１の下方に配置されている。すなわち、室内熱交換器２２は、全体として略Ｖ字の形状を有しており、クロスフローファン２１の前方と下方とを取り囲むように、クロスフローファン２１と対向して配置されている。
【００４９】
正面視において室内熱交換器２２の右側には、室外機５から送られてきた冷媒を室内熱交換器２２及び輻射パネル３０に供給するための配管が配置されている。より具体的には、図１において、分岐部６０ａから室内熱交換器２２及び輻射パネル３０にそれぞれ至る配管、並びに室内熱交換器２２及び輻射パネル３０から分岐部６０ｂにそれぞれ至る配管が、室内熱交換器２２の右側に配置されている。図５に示すように、これらの配管の前方には防滴カバー２３が取り付けられている。
【００５０】
室内熱交換器２２の下端部近傍には、左右方向に延在するドレンパン２４が配置されている。図５に示すように、正面視において、ドレンパン２４の左側の端部は、室内熱交換器２２の端部とほぼ対向する位置にあり、右側の端部は、室内熱交換器２２の右側に配置された配管と対向する位置にある。また、図４に示すように、ドレンパン２４の前後方向の端部は、室内熱交換器２２の前後方向の端部とほぼ対向する位置にある。図４に示すように、主吸込口１０ａから吸い込まれた空気は、ドレンパン２４の下方において前方側と後方側とに分かれ、前面熱交換器２２ａと背面熱交換器２２ｂとにそれぞれ供給される。
【００５１】
吹出口ユニット２５は、クロスフローファン２１の上方に配置されており、クロスフローファン２１から吹き出された空気をケーシング１０の上端部に形成された吹出口１０ｄへと導くものである。吹出口ユニット２５は、吹出口１０ｄの近傍に配置される水平フラップ２５ａを備えている。水平フラップ２５ａは、吹出口１０ｄから吹き出される空気流の上下方向の風向きを変更すると共に、吹出口１０ｄの開閉を行う。
【００５２】
電装品ユニット２６は、図５に示すように、ドレンパン２４の下方に配置されており、回路基板（図示せず）などを収容する電装品箱２６ａと、電装品箱２６ａに収容された基板と電気的に接続される端子台２６ｄとを有している。図４に示すように、電装品箱２６ａは、主吸込口１０ａから背面熱交換器２２ｂに至る流路を形成する壁面に接触して設けられている。また、電装品箱２６ａは、その底面が前端から後端に近付くにつれて上方に傾斜した状態で配置されている。端子台２６ｄは、室内熱交換器２２の右側に配置された配管と対向する位置に配置されている。さらに、電装品ユニット２６から引き出された配線は、端子台２６ｄの右側からまっすぐ上方に引き回され、前面パネル４の右上端部に設けられた電源ボタン１８及び発光表示部１９のＬＥＤ発光体に接続されている。
【００５３】
図４及び図６に示すように、電装品箱２６ａは、上方が開口した略直方体の箱状に形成された本体２６ｂと、本体２６ｂの開口を覆う蓋体２６ｃとから構成されている。蓋体２６ｃは、本体２６ｂの側面において本体２６ｂの側面と重なり合っている。つまり、本体２６ｂと蓋体２６ｃとの合わせ部は、電装品箱２６ａの側面に位置している。電装品箱２６ａは、その合わせ部が上下方向に関してドレンパン２４の底面と対向しないように配置されている。すなわち、図４に示すように、電装品箱２６ａの後方側の合わせ部（図４中右側の合わせ部）は、前後方向に関してドレンパン２４の後端よりも後方に位置している。換言すると、電装品箱２６ａの後方側の合わせ部は、ドレンパン２４の下方の領域から外れた位置にある。したがって、この合わせ部は、ドレンパン２４と底面と対向しない。また、電装品箱２６ａの前端側の側面（図４中左側の側面）は、前斜め下方に向いている。したがって、この側面の合わせ部も、電装品箱２６ａの上方に位置するドレンパン２４の底面と対向しない。
【００５４】
（本体フレーム１１）
図４及び図７に示すうように、本体フレーム１１の高さ方向中央部分のやや上方には、クロスフローファン２１が配置されるファン配置部１１ａが形成されている。ファン配置部１１ａにおいては、壁面が後方に凸となるように湾曲しており、窪みを成している。クロスフローファン２１の背面側のほぼ半分は、この窪み内に収められる。そして、ファン配置部１１ａの前方には室内熱交換器２２が取り付けられ、室内熱交換器２２の下端部近傍にはドレンパン２４が取り付けられる。また、ファン配置部１１ａの上方には吹出口ユニット２５が取り付けられる。
【００５５】
本体フレーム１１の下端部１１ｂは、主吸込口１０ａの縁の一部を構成する前端から背面に近付くにつれて上方に傾斜している。下端部１１ｂの正面視における右側部分には、電装品箱２６ａを嵌合するための嵌合凹部１２が形成されている。嵌合凹部１２に嵌合された電装品箱２６ａの底面は、嵌合凹部１２の底面１２ａと対向すると共に接触する。図４及び図６に示すように、嵌合凹部１２は、傾斜した下端部１１ｂの背面側部分に形成されている。
【００５６】
図４及び図６に示すように、嵌合凹部１２の底面１２ａは、下端部１１ｂを構成する壁面よりも上方に位置しており、その前端から後端に近付くにつれて上方に傾斜している。すなわち、底面１２ａは、主吸込口１０ａから背面に近付くにつれて上方に傾斜している。嵌合凹部１２の前端（下端）に設けられた段部１２ｂは、底面１２ａの前端からほぼ水平方向に沿って前方に延在していると共に、下方に屈曲して下端部１１ｂに接続されている。また、嵌合凹部１２の後端（上端）に設けられた段部１２ｃは、底面１２ａの後端から底面１２ａとほぼ直交する方向に沿って上方に延在していると共に、後方に屈曲して本体フレーム１１の後壁に接続されている。
【００５７】
上述のような構成により、嵌合凹部１２が形成された部分においては、ドレンパン２４から滴下したドレン水や本体フレーム１１の後壁を伝って流れてきたドレン水は、その前端から後端に近付くにつれて上方に傾斜した底面１２ａの前端に向かって流れる。そして、嵌合凹部１２の前端に設けられた段部１２ｂの水平部分にドレン水が溜まる。
【００５８】
図７及び図８に示すように、嵌合凹部１２の底面１２ａには、底面１２ａの傾斜方向に沿って延在する複数の溝１３ａが、左右方向に関して互いに離れた位置に形成されている。各溝１３ａは、底面１２ａの前端から後端まで延びている。溝１３ａにより、嵌合凹部１２に嵌合された電装品箱２６ａの底面と嵌合凹部１２の底面１２ａとの間に隙間が形成される。
【００５９】
嵌合凹部１２の段部１２ｃの上壁には、ドレン水が溝１３ａに向かって流れるように傾斜した傾斜面１３ｂが形成されている。具体的には、傾斜面１３ｂは、段部１２ｃの上壁において、底面１２ａに形成された複数の溝１３ａのうち隣接する２つの溝１３ａの間に対応する部分の左右方向中央部分から、２つの溝１３ａにそれぞれ対応する部分に向けて下方に傾斜している。また、段部１２ｃには、一端が溝１３ａに接続されていると共に、他端が段部１２ｃの上壁に形成された傾斜面１３ｂの下端に位置する連通溝１３ｃが形成されている。
【００６０】
図７及び図８に示すように、段部１２ｃの側壁（前壁）には、２つの突出部１４が設けられている。突出部１４は、嵌合凹部１２に嵌合された電装品箱２６ａの側面に向かって突出している。突出部１４が嵌合凹部１２に嵌合された電装品箱２６ａの側面と接触することで、嵌合凹部１２に嵌合された電装品箱２６ａの側面と段部１２ｃとの間に隙間ｄ（図６参照）が形成される。
【００６１】
（前面グリル１５）
前面グリル１５は、上述の各種内部機器と、吹出口カバー４１と、輻射パネル３０とが取り付けられた状態の本体フレーム１１に取り付けられる。図４に示すように、前面グリル１５は、前面熱交換器２２ａの上下方向略中央部分から、本体フレーム１１の下前端までを覆うように配置される。前面グリル１５は、フィルタ保持部１５ａと、主吸込口１０ａに配置される吸込口グリル１５ｂとを有している。
【００６２】
フィルタ保持部１５ａは、輻射パネル３０の背面に設けられたフィルタ保持部３４と協働して、上部フィルタ１６ａ及び下部フィルタ１６ｂをガイドすると共に保持する。より詳細には、図４に示すように、フィルタ保持部１５ａは、上部フィルタ１６ａの下端部と下部フィルタ１６ｂの全体を保持する。上部フィルタ１６ａのフィルタ保持部１５ａによって保持される部分の上方部分は、輻射パネル３０のフィルタ保持部３４によって保持される。
【００６３】
（フィルタ）
図４に示すように、上部フィルタ１６ａ及び下部フィルタ１６ｂは、前面熱交換器２２ａと前面パネル４との間の空間に設けられている。なお、図４において、上部フィルタ１６ａの配置領域をＡで、下部フィルタ１６ｂの配置領域をＢで示す。上部フィルタ１６ａは、上下方向に延在しており、その下端は前面熱交換器２２ａの上下方向略中央部分と対向している。下部フィルタ１６ｂは、上部フィルタ１６ａの下端の近傍から下方に延在していると共に、その下半分が前方に凸に湾曲している。より詳細には、下部フィルタ１６ｂは、ドレンパン２４よりも下方の部分が湾曲している。下部フィルタ１６ｂの下端は、主吸込口１０ａの後端縁近傍に位置している。
【００６４】
（吹出口カバー４１）
図４に示すように、吹出口カバー４１は、吹出口ユニット２５を覆っている。そして、上述のように、吹出口カバー４１の上壁には吹出口１０ｄが形成されている。また、吹出口カバー４１の前面には、前面パネル部４１ａが設けられている。前面パネル部４１ａは、左右方向に長い矩形形状を有している。ここで、図３に示すように、前面パネル部４１ａの上下方向の長さをＬとする。
【００６５】
（輻射パネル３０）
輻射パネル３０は、左右に長い略矩形形状を有しており、ケーシング１０の高さ方向中央より上方に設けられている。図４に示すように、輻射パネル３０は、アルミ製の前面パネル部３１と、前面パネル部３１の背面を覆うように取り付けられた樹脂製の断熱カバー３２と、前面パネル部３１の背面に接触するように取り付けられたパネル配管３３とで主に構成されている。断熱カバー３２の背面には、上述のフィルタ保持部３４が設けられている。パネル配管３３は、冷媒回路６０を構成する配管の一部である。室外機５から送られてきた冷媒はパネル配管３３内に流入し、前面パネル部３１の背面を正面視において右端部から左側端部まで流れる。その後折り返して左側端部から右側端部まで流れ、右側端部からパネル配管３３の外に流れ出る。
【００６６】
前面パネル部３１の上下方向の長さは、吹出口カバー４１の前面パネル部４１ａのほぼ２倍である。すなわち、図３に示すように、前面パネル部３１の上下方向の長さは約２Ｌである。前面パネル部３１は、吹出口カバー４１の前面パネル部４１ａの下方に位置している。図４に示すように、輻射パネル３０の上下方向略中央部分は、前面熱交換器２２ａの上端部に対向している。
【００６７】
（開閉パネル４２）
開閉パネル４２は、輻射パネル３０の前面パネル部３１の下方に着脱可能に取り付けられている。開閉パネル４２は、左右方向に長い矩形形状を有しており、その上下方向の長さは、吹出口カバー４１の前面パネル部４１ａのほぼ４倍である。すなわち、図３に示すように、開閉パネル４２の上下方向の長さは約４Ｌである。図４に示すように、開閉パネル４２の上端の上下方向位置は、前面グリル１５の上端とほぼ同じである。上述のように、開閉パネル４２の下端は、主吸込口１０ａの一部を構成している。したがって、開閉パネル４２を取り外すことにより、前面グリル１５を露出させ、上部フィルタ１６ａ及び下部フィルタ１６ｂの着脱を行うことができるフィルタ挿入可能状態となる。
【００６８】
上述のように、前面パネル４は、吹出口カバー４１に設けられた前面パネル部４１ａと、輻射パネル３０に設けられた前面パネル部３１と、開閉パネル４２とで構成されている。そして、輻射パネル３０の前面パネル部３１と開閉パネル４２との間には、左右方向（水平方向）に伸延するスリット状の開口である補助吸込口１０ｂが形成されている。また、開閉パネル４２の上端近傍にも、左右方向に伸延するスリット状の開口である補助吸込口１０ｃが形成されている。図３に示すように、開閉パネル４２の上端と補助吸込口１０ｃとの上下方向に関する距離はＬである。
【００６９】
すなわち、前面パネル４の上下方向の長さは７Ｌであり、補助吸込口１０ｂは、前面パネル４の上端から３Ｌの位置、補助吸込口１０ｃは、前面パネル４の下端から３Ｌの位置にそれぞれ形成されている。つまり、補助吸込口１０ｂ、１０ｃは、前面パネル４の上下方向（高さ方向）中央の領域に設けられている。また、図４に示すように、補助吸込口１０ｂ、１０ｃは、前面熱交換器２２ａと対向している。
【００７０】
＜本実施形態の室内機１の特徴＞
本実施形態の室内機１では、室内熱交換器２２の下端部近傍のドレンパン２４より下方において、主吸込口１０ａから室内熱交換器２２に至る流路を形成するケーシング１０の壁面に、電装品箱２６ａを嵌合するための嵌合凹部１２が形成されている。電装品箱２６ａは、嵌合凹部１２の底面１２ａと接触して設けられ、電装品箱２６ａの底面と嵌合凹部１２の底面１２ａとの間には、隙間が形成されている。
したがって、室内熱交換器２２の下端部近傍のドレンパン２４より下方に電装品箱２６ａを設けることで、室内熱交換器２２の側方に電装品箱２６ａを設ける場合に比べて、水平方向に関して小型化できる。また、室内熱交換器２２からのドレン水は、電装品箱２６ａの底面と嵌合凹部１２の底面１２ａとの間の隙間に流れ込む。よって、電装品箱２６ａをドレンパン２４の下方に設けた場合でも、室内熱交換器２２からのドレン水の電装品箱２６ａ内への流入を妨げることができる。
【００７１】
また、本実施形態の室内機１では、電装品箱２６ａの底面と接触する嵌合凹部１２の底面１２ａは、ケーシング１０の下端部の前方に設けられた主吸込口１０ａから背面に近付くにつれて上方に傾斜している。したがって、電装品箱２６ａの底面と嵌合凹部１２の底面１２ａとの間の隙間に流れ込んだドレン水を、下方に向けて流すことができる。よって、電装品箱２６ａの底面と嵌合凹部１２の底面１２ａとの間にドレン水が溜まるのを抑制できる。
【００７２】
また、本実施形態の室内機１では、嵌合凹部１２の底面１２ａには、その傾斜方向に沿って延在する溝１３ａが形成されている。したがって、溝１３ａが形成されている部分以外では、電装品箱２６ａの底面と嵌合凹部１２の底面１２ａとが接触しているので、電装品箱２６ａの底面と嵌合凹部１２の底面１２ａとの間に埃等が溜まるのを抑制できる。また、溝１３ａに流れ込んだドレン水を、電装品箱２６ａの底面と嵌合凹部１２の底面１２ａとの間から排出できる。
【００７３】
さらに、本実施形態の室内機１では、溝１３ａが互いに離れた位置に複数形成されている。したがって、複数の溝１３ａにより、室内熱交換器２２からのドレン水を電装品箱２６ａの底面と嵌合凹部１２の底面１２ａとの間から迅速且つ確実に排出し、ドレン水の電装品箱２６ａ内への流入を確実に妨げることができる。
【００７４】
加えて、本実施形態の室内機１では、嵌合凹部１２の上端に設けられた段部１２ｃの上壁に、ドレン水が溝１３ａに向かって流れるように傾斜した傾斜面１３ｂが形成されている。したがって、傾斜面１３ｂにより、ドレン水を溝１３ａに集めることができる。よって、ドレン水の電装品箱２６ａ内への流入をより確実に妨げることができる。
【００７５】
また、本実施形態の室内機１では、嵌合凹部１２の上端に設けられた段部１２ｃに、溝１３ａに連通する連通溝１３ｃが形成されている。したがって、連通溝１３ｃを介して、段部１２ｃに滴下したドレン水を電装品箱２６ａの底面と嵌合凹部１２の底面１２ａとの間の隙間に送ることができる。
【００７６】
また、本実施形態の室内機１では、嵌合凹部１２の上端に設けられた段部１２ｃと、嵌合凹部１２に嵌合された電装品箱２６ａの側面との間に隙間が形成されている。したがって、段部１２ｃの表面を伝って電装品箱２６ａの側面にドレン水が付着するのを避けることができる。
【００７７】
加えて、本実施形態の室内機１では、嵌合凹部１２の上端に設けられた段部１２ｃに、嵌合凹部１２に嵌合された電装品箱２６ａの側面に向かって突出する突出部１４が設けられている。したがって、突出部１４によって、段部１２ｃと電装品箱２６ａの側面との間の隙間を確実に形成できる。
【００７８】
また、本実施形態の室内機１では、電装品箱２６ａが、本体２６ｂと蓋体２６ｃとで構成されており、本体２６ｂと蓋体２６ｃとの合わせ部が、ドレンパン２４の底面と対向しないように設けられている。したがって、ドレンパン２４から滴下したドレン水が、電装品箱２６ａの合わせ部から電装品箱２６ａの内部に浸入するのを防ぐことができる。
【００７９】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味および範囲内でのすべての変更が含まれる。
【００８０】
例えば、上述の実施形態では、嵌合凹部１２の底面１２ａに溝１３ａが形成されている場合について説明したが、これには限定されない。すなわち、図９に示すように、上述の実施形態の変形例においては、嵌合凹部１１２の底面１１２ａに、底面１１２ａの傾斜方向に沿って延在する複数の突起１１３ａを形成されている。したがって、嵌合凹部１１２に嵌合された電装品箱２６ａの底面は突起１１３ａと接触し、電装品箱２６ａの底面と嵌合凹部１１２の底面１１２ａの間に隙間が形成される。
なお、突起１１３ａの形状は、底面１１２ａの傾斜方向に沿って延在するものには限定されない。したがって、円形の突起が複数形成されていてもよい。
【００８１】
また、上述の実施形態では、電装品箱２６ａの底面と接触する嵌合凹部１２の底面１２ａが、ケーシング１０の下端部の前方に設けられた主吸込口１０ａから背面に近付くにつれて上方に傾斜している場合について説明したが、これには限定されない。すなわち、嵌合凹部１２の底面１２ａは、主吸込口１０ａから背面に近付くにつれて下方に傾斜していてもよいし、左右両端のうちいずれか一端から他端に近付くにつれて上方に傾斜していてもよい。また、底面１２ａは傾斜していなくてもよい。
【００８２】
また、上述の実施形態では、複数の溝１３ａが形成されている場合について説明したが、溝１３ａは１つであってもよい。
【００８３】
加えて、上述の実施形態では、嵌合凹部１２の上端に設けられた段部１２ｃの上壁に、ドレン水が溝１３ａに向かって流れるように傾斜した傾斜面１３ｂが形成されている場合について説明したが、傾斜面１３ｂはなくてもよい。
【００８４】
またに、上述の実施形態では、嵌合凹部１２の上端に設けられた段部１２ｃに、溝１３ａに連通する連通溝１３ｃが形成されている場合について説明したが、連通溝１３ｃはなくてもよい。
【００８５】
さらに、上述の実施形態では、嵌合凹部１２の上端に設けられた段部１２ｃに、嵌合凹部１２に嵌合された電装品箱２６ａの側面に向かって突出する突出部１４が設けられており、段部１２ｃと電装品箱２６ａの側面との間に隙間が形成されている場合について説明したが、これには限定されない。すなわち、突出部１４は形成されていなくてもよいし、段部１２ｃと電装品箱２６ａの側面との間の隙間もなくてもよい。
【００８６】
さらに、上述の実施形態では、電装品箱２６ａが、本体２６ｂ及び蓋体２６ｃの２つの部材で構成されており、本体２６ｂと蓋体２６ｃとの合わせ部が、ドレンパン２４の底面と対向しないように設けられている場合について説明したが、これには限定されない。すなわち、電装品箱２６ａは、３つ以上の部材で構成されていてもよいし、単一の部材で構成されていてもよい。また、部材同士の合わせ部が、ドレンパン２４の底面と対向して設けられていてもよい。
【００８７】
また、上述の実施形態では、ケーシング１０の下端部の前方に形成された主吸込口１０ａから空気を吸い込み、ケーシング１０の上端部に形成された吹出口１０ｄから空気を吹き出す室内機１について説明したが、これには限定されない。すなわち、ケーシング１０の上端部に形成された吸込口から空気を吸い込み、ケーシング１０の下端部に形成された吹出口から空気を吹き出す室内機に対して本発明を適用してもよい。
【００８８】
加えて、上述の実施形態では、床面から１０ｃｍ程度浮かした状態で、壁面に取り付けられる場合について説明したが、本発明は、床面近傍に設置される室内機全般に適用可能である。したがって、床面に設置される室内機に適用してもよい。
【産業上の利用可能性】
【００８９】
本発明を利用すれば、水平方向に関して小型化しつつ、熱交換器からのドレン水の電装品箱内への流入を妨げることができる。
【符号の説明】
【００９０】
１  床置き室内機
１０  ケーシング
１０ａ  主吸込口
１２、１１２  嵌合凹部
１２ａ、１１２ａ  底面（壁面、傾斜部分）
１２ｃ、１１２ｃ  段部
１３ａ  溝
１３ｂ  傾斜面
１３ｃ  連通溝
１４  突出部
２２  室内熱交換器
２４  ドレンパン
２６ａ  電装品箱
【図１】
2012102889.tif 000003
【図２】
2012102889.tif 000004
【図３】
2012102889.tif 000005
【図４】
2012102889.tif 000006
【図５】
2012102889.tif 000007
【図６】
2012102889.tif 000008
【図７】
2012102889.tif 000009
【図８】
2012102889.tif 000010
【図９】
2012102889.tif 000011